(57)【要約】【課題】台車又はストレッチャ−上に設けられた第１のレールと入浴用受け台上に設けられた第２のレールとが接続されているときにのみ椅子部又は担架本体が移動可能となる入浴用車椅子又は入浴用担架を提供する。【解決手段】台車７等が入浴用受け台１の所定位置につき合わされたとき、台車７等の上部に付設された第１のレール１３と入浴用受け台１の上部に付設された第２のレール３とが同軸上に配置されて、第１のレール１３上を走行可能な車輪３４を有する椅子部８が台車７等と入浴用受け台１との間を移動可能となる入浴用車椅子又は入浴用担架において、入浴用車椅子等には、椅子部８等が第１のレール１３に沿って台車７等から離間するように移動するのを停止させるロック機構１６が設けられ、ロック機構１６は、台車７等が第１のレール１３と第２のレール３とが合致するよう入浴用受け台１の所定位置につき合わされることで解除される。【選択図】      図６
2004154241.tif 000002
【特許請求の範囲】
【請求項１】
複数のキャスターによって支持され、上部に第１のレールが二列平行に付設されている台車と、
該台車上に該台車と分離可能に配置され、下面に前記第１のレール上を走行可能な複数の車輪を有する椅子部とを有し、
前記台車が入浴用受け台の所定位置につき合わされたとき前記台車の第１のレールと入浴用受け台の第２のレールとが同軸上に配置されて、それら第１、第２のレール上を前記車輪が走行することで、前記椅子部が前記台車と前記入浴用受け台との間を移動可能となる入浴用車椅子において、
該入浴用車椅子には、前記椅子部が前記第１のレールに沿って前記台車から離間するように移動するのを停止させるロック機構が設けられ、該ロック機構は、前記台車が前記第１のレールと前記第２のレールとが合致するよう前記入浴用受け台の所定位置につき合わされることで解除されることを特徴とする入浴用車椅子。
【請求項２】
請求項１記載の入浴用車椅子において、
前記ロック機構は、前記台車に設けられ前記椅子部に付設されている被係止部材に係合して前記椅子部が前記第１のレールに沿って前記台車から離間するように移動するのを停止する係止部材と、該係止部材を常時係止状態に付勢する付勢部材と、前記台車に設けられ前記入浴用受け台に設けられたレバー係合部に当接することで前記係止部材を前記被係止部材に係合する係止状態から前記被係止部材に係合しない非係止状態に前記付勢部材に抗して操作するレバーとから構成されていることを特徴とする入浴用車椅子。
【請求項３】
複数のキャスターによって支持され、上部に第１のレールが二列平行に付設されているストレッチャーと、
該ストレッチャー上に該ストレッチャーと分離可能に配置され、下面に前記第１のレール上を走行可能な複数の車輪を有する担架本体とを有し、
前記ストレッチャーが入浴用受け台の所定位置につき合わされたとき前記ストレッチャーの第１のレールと入浴用受け台の第２のレールとが同軸上に配置されて、それら第１、第２のレール上を前記車輪が走行することで、前記担架本体が前記ストレッチャーと前記入浴用受け台との間を移動可能となる入浴用担架において、
該入浴用車担架には、前記担架本体が前記第１のレールに沿って前記ストレッチャーから離間するように移動するのを停止させるロック機構が設けられ、該ロック機構は、前記ストレッチャーが前記第１のレールと前記第２のレールとが合致するよう前記入浴用受け台の所定位置につき合わされることで解除されることを特徴とする入浴用担架。
【請求項４】
請求項３記載の入浴用担架において、
前記ロック機構は、前記ストレッチャーに設けられ前記担架本体に付設されている被係止部材に係合して前記担架本体が前記第１のレールに沿って前記ストレッチャーから離間するように移動するのを停止する係止部材と、該係止部材を常時係止状態に付勢する付勢部材と、前記ストレッチャーに設けられ前記入浴用受け台に設けられたレバー係合部に当接することで前記係止部材を前記被係止部材に係合する係止状態から前記被係止部材に係合しない非係止状態に前記付勢部材に抗して操作するレバーとから構成されていることを特徴とする入浴用担架。
【発明の詳細な説明】
【０００１】
【発明の属する技術分野】
この発明は、主に体が不自由な者等を入浴させる際に用いられる入浴用車椅子および入浴用担架に関する。
【０００２】
【従来の技術】
一般に、体が不自由で介助が必要な者（以下、要介助者と記す。）を入浴させる際に、要介助者等を浴槽に移動するために、入浴用車椅子または入浴用担架が使用される。入浴用車椅子は、下部にキャスターが設けられて上部に第１のレールが二列平行に付設されている台車と、下部に車輪が設けられている椅子部とからなるものであり、入浴用担架は、下部にキャスターが設けられて上部に第１のレールが二列平行に付設されているストレッチャーと、下部に車輪が設けられている担架本体とからなるものである。これらは、椅子部または担架本体の車輪が第１のレールの上を走行することで、椅子部または担架本体が台車上またはストレッチャー上を前後または左右に移動可能になっている。そして、この入浴用車椅子または入浴用担架は、浴槽や洗浄台に横付けされ、入浴用車椅子等にある第１のレールと浴槽側等にある第２のレールとが同軸上になるように位置合わせされることで、椅子部または担架本体が車輪を介して第１のレールから第２のレールへ移動して浴槽や洗浄台に移されるようになっている。
【０００３】
従来、椅子部または担架本体が車輪を介して第１のレールの上を不用意に移動するのを規制するため、椅子部と台車との間、または担架本体とストレッチャーとの間にロック機構を設け、椅子部または担架本体を所定の位置で固定する方法がとられている。このロック機構は、介助者等が解除バーを引っ張ってロック状態を解除する構成になっている（例えば、特許文献１参照。）。
【０００４】
【特許文献１】
特開平５−１２３３６２号公報（第３頁、第１図）
【０００５】
【発明が解決しようとする課題】
しかしながら、上記した従来の入浴用車椅子または入浴用担架によれば、入浴用車椅子側または入浴用担架側の第１のレールと入浴用受け台側の第２のレールが接続されていないときにもロック機構は解除され得る構造である。よって、第１のレールと第２のレールが接続されていないときにロック機構が解除されると、椅子部または担架本体は不用意に移動自在になる不具合が生じる問題が存在する。
【０００６】
本発明は、上記した問題が考慮されたものであり、入浴用車椅子または入浴用担架と入浴用受け台とが所定の位置に配置され、入浴用車椅子または入浴用担架に設けられた第１のレールと入浴用受け台上に設けられた第２のレールとが接続されているときにのみ椅子部または担架本体が移動可能となる入浴用車椅子および入浴用担架を提供することを目的としている。
【０００７】
【課題を解決するための手段】
請求項１記載の発明は、複数のキャスターによって支持され、上部に第１のレールが二列平行に付設されている台車と、該台車上に該台車と分離可能に配置され、下面に前記第１のレール上を走行可能な複数の車輪を有する椅子部とを有し、前記台車が入浴用受け台の所定位置につき合わされたとき前記台車の第１のレールと入浴用受け台の第２のレールとが同軸上に配置されて、それら第１、第２のレール上を前記車輪が走行することで、前記椅子部が前記台車と前記入浴用受け台との間を移動可能となる入浴用車椅子において、該入浴用車椅子には、前記椅子部が前記第１のレールに沿って前記台車から離間するように移動するのを停止させるロック機構が設けられ、該ロック機構は、前記台車が前記第１のレールと前記第２のレールとが合致するよう前記入浴用受け台の所定位置につき合わされることで解除されることを特徴としている。
【０００８】
請求項２記載の発明は、請求項１記載の入浴用車椅子において、前記ロック機構は、前記台車に設けられ前記椅子部に付設されている被係止部材に係合して前記椅子部が前記第１のレールに沿って前記台車から離間するように移動するのを停止する係止部材と、該係止部材を常時係止状態に付勢する付勢部材と、前記台車に設けられ前記入浴用受け台に設けられたレバー係合部に当接することで前記係止部材を前記被係止部材に係合する係止状態から前記被係止部材に係合しない非係止状態に前記付勢部材に抗して操作するレバーとから構成されていることを特徴としている。
【０００９】
請求項３記載の発明は、複数のキャスターによって支持され、上部に第１のレールが二列平行に付設されているストレッチャーと、該ストレッチャー上に該ストレッチャーと分離可能に配置され、下面に前記第１のレール上を走行可能な複数の車輪を有する担架本体とを有し、前記ストレッチャーが入浴用受け台の所定位置につき合わされたとき前記ストレッチャーの第１のレールと入浴用受け台の第２のレールとが同軸上に配置されて、それら第１、第２のレール上を前記車輪が走行することで、前記担架本体が前記ストレッチャーと前記入浴用受け台との間を移動可能となる入浴用担架において、該入浴用車担架には、前記担架本体が前記第１のレールに沿って前記ストレッチャーから離間するように移動するのを停止させるロック機構が設けられ、該ロック機構は、前記ストレッチャーが前記第１のレールと前記第２のレールとが合致するよう前記入浴用受け台の所定位置につき合わされることで解除されることを特徴としている。
【００１０】
請求項４記載の発明は、請求項３記載の入浴用担架において、前記ロック機構は、前記ストレッチャーに設けられ前記担架本体に付設されている被係止部材に係合して前記担架本体が前記第１のレールに沿って前記ストレッチャーから離間するように移動するのを停止する係止部材と、該係止部材を常時係止状態に付勢する付勢部材と、前記ストレッチャーに設けられ前記入浴用受け台に設けられたレバー係合部に当接することで前記係止部材を前記被係止部材に係合する係止状態から前記被係止部材に係合しない非係止状態に前記付勢部材に抗して操作するレバーとから構成されていることを特徴としている。
【００１１】
このような特徴により、入浴用担架と入浴用受け台が所定の位置に配置され、第１のレールと第２のレールが合致して接続されなければロック機構は解除されず、担架本体はストレッチャー上で移動を停止される。また、入浴用車椅子と入浴用受け台が所定の位置に配置され、第１のレールと第２のレールが合致して接続されなければロック機構は解除されず、椅子部は台車上で移動を停止される。
【００１２】
【発明の実施の形態】
以下、本発明の実施の形態について、図面に基づいて説明する。
【００１３】
図１に示すように、符号１は要介助者を入浴させるためのリフト式入浴装置の入浴用受け台である。この入浴用受け台１の上面には矩形の基盤２が設けられており、この基盤の上面には入浴用受け台１の長辺方向と直行する向きに第２のレール３が二列平行に配設されている。また、入浴用受け台１の側面には、台車ガイド部４が所定の間隔をあけて二箇所水平に設けられており、双方の台車ガイド部４の間には半円盤形のレバー係合部５が設けられている。
【００１４】
レバー係合部５の上面には連結孔５ａが鉛直方向に設けられており、第２のレール３の設置方向で連結孔５ａからレバー係合部５の側面にかけて斜めに案内部５ｂが設けられている。
【００１５】
図２、図３において、符号６は本発明に係る入浴用車椅子を示す。この入浴用車椅子６は、車輪付きの台車７と、該台車７上に水平方向へ移動可能に設けられた椅子部８とを備える。
【００１６】
台車７は、平面視四角形状に組まれた台車フレーム９の各隅部から脚部１０が上下方向に延び、その脚部１０の下端にはキャスター１１が取り付けられ、上端には横架材１２が二列平行に架設され、横架材１２上には椅子部８を移動可能に支持する第１のレール１３が横架材１２の設置方向と直交する向きで二列平行に架設された構造になっている。
【００１７】
台車７と椅子部８とには、台車７と椅子部８とに跨って公知の第１のロック機構１４が設けられている。また、台車フレーム９の一側方の脚部１０には、当該入浴用車椅子６を入浴用受け台１に隣接させる際に、入浴用受け台１の側面に設けられた台車ガイド部４に突き当たって、両者の相対的な位置決めを行う円盤状の位置決め部材１５が取り付けられている。さらに、位置決め部材１５が取り付けられた台車フレーム９の一側面には、レバー係合部５に当接することで非係止状態になる第２のロック機構１６と、掛止ロッド１７ａを図１に示す連結孔５ａの中に挿入することで入浴用受け台１と台車７とを掛止する連結機構１７が取り付けられている。連結機構１７は、台車フレーム９の側面に配置されたペダル１７ｂを踏動することで、掛止ロッド１７ａが上下運動する構造を有するものである。
【００１８】
ここで第２のロック機構１６について説明する。図４、図５に示すように、入浴用受け台１の側面に対向する台車フレーム９の横バー部材９ａには、入浴用受け台１の方向と反対方向に向かって二枚の矩形ブラケット１８が互いに対向する向きで平行に設けられている。
【００１９】
二枚の矩形ブラケット１８の基端部上には、コ字型平板１９がその突出した両先端部が上向きになる状態で取り付けられている。コ字型平板１９の両先端部１９ａの互いに対向した内面には、水平に突出したばね受け２０がそれぞれ設けられており、また、コ字型平板１９の幅方向には、ばね受け２０の鉛直下方に孔２１がそれぞれ設けられ、この二つの孔２１の間に中空円筒部材２２が挿設されている。
【００２０】
また、二枚の矩形ブラケット１８の先端部には、丸棒形の軸部材２３が回転可能に設けられている。軸部材２３には、略Ｕ字形に屈曲した丸棒からなるレバー２４および矩形の一次係合板２５が互いに所定の角度をもつように固定されている。レバー２４は、同方向に向いている両端部が軸部材２３に固定されており、中央部が入浴用受け台１の方向の斜め下方に向けられてレバー係合部５に接触する当接板２４ａが取り付けられているものである。また、一次係合板２５は略水平が保たれているものであり、一次係合板２５の先端は入浴用受け台１の方向に向いているとともに凹部２５ａが設けられている。
【００２１】
一次係合板２５の先端部の下方には、一次係合板２５に直交する向きで矩形の二次係合板２６が水平に配置されている。二次係合板２６の両端部には、二次係合板２６を絶えず上方に引っ張るコイルバネからなる付勢部材２７が鉛直上向きにそれぞれ取り付けられている。付勢部材２７は、コ字型平板１９の孔２１にそれぞれ挿通され、上端部がばね受け２０にそれぞれ取り付けられている。この付勢部材２７を介して、二次係合板２６はばね受け２０に支持されている。
【００２２】
二次係合板２６の中央部には、円柱形の係止部材２８が鉛直上向きに取り付けられている。係止部材２８は、一次係合板２５の凹部２５ａおよび中空円筒部材２２の中を挿通し、内方に張り出す状態で横架材１２に水平に取り付けられた矩形板２９の先端に設けられた孔３０の中を挿通し、矩形板２９の上方に突出される。また、二次係合板２６と一次係合板２５との間、および一次係合板２５と中空円筒部材２２との間には緩衝材３１が介在されている。
【００２３】
一方、図６に示すように、椅子部８は、台車フレーム９と同形の平面視四角形状に形成された椅子フレーム３２上に椅子本体３３が取り付けられた構造になっている。椅子フレーム３２には、二列平行に設けられた第１のレール１３上を走行する複数（図では各二個）の車輪３４がそれぞれ取り付けられており、椅子フレーム３２は車輪３４によって移動可能に支持されている。
【００２４】
また、椅子部８には、傾斜板状の第１の被係止板３５に設けられた孔の中に挿通される図示せぬ係止棒と、この図示せぬ係止棒を第１の被係止板３５に設けられた孔から抜いて第１のロック機構１４を解除する図示せぬロックレバーとが設けられている。椅子フレーム３２の入浴用受け台１側の側面には、第２のロック機構１６に係合する第２の被係止板３６が設けられ、椅子部８は第２の被係止板３６の外方に係止部材２８の頭部がオーバーラップして係止される。
【００２５】
椅子フレーム３２の上方に取り付けられた椅子本体３３は、椅子フレーム３２に固定されている座部３３ａと、座部３３ａの一側面に取り付けられている背もたれ部３３ｂと、背もたれ部３３ｂの逆側面に取り付けられている足載せ部３３ｃとからなるものである。背もたれ部３３ｂおよび足載せ部３３ｃは、座部３３ａとの取付部３３ｄを軸に回転可能に取り付けられている。
【００２６】
次に、本発明に係る入浴用車椅子６の椅子部８を入浴用受け台１に移動させる方法について説明する。
【００２７】
まず、図３に示すように、入浴用車椅子６を、入浴用受け台１の側面に向かって真直ぐに移動して、入浴用受け台１の側面に設けられた台車ガイド部４に台車７の脚部１０に設けられた位置決め部材１５を突き当てて、入浴用受け台１に隣接する所定位置に配置する。これにより、第１のレール１３は第２のレール３の延長線上に配置される。また、所定位置とは、入浴用車椅子６と入浴用受け台１との相対的な位置関係をいい、位置決め部材１５が台車ガイド部４に突き当った位置をいう。
【００２８】
このとき、図４に示すように、掛止ロッド１７ｂはレバー係合部５に設けられた案内部５ｂの表面上を摺動し、掛止ロッド１７ｂの下端部を連結孔５ａの中に挿入し、入浴用受け台１と台車７とを連結する。
【００２９】
また、第２のロック機構１６のレバー２４は、入浴用受け台１の側面に設けられたレバー係合部５に当接することでレバー２４の当接板２４ａが押されて、軸部材２３を軸に入浴用受け台１の方向と反対方向に回転する（図４中の矢印（イ）で示す。）。このレバー２４の回転に伴って、一次係合板２５は軸部材２３を中心に下方に回転する。これにより、一次係合板２５の先端の下方に接するように配置されている二次係合板２６は下方に押され、二次係合板２６上に設けられている係止部材２８は鉛直下方向に移動する。この係止部材２８の頭部２８ａは第２の被係止板３６より下方に下がり、付勢部材２７の弾性力により絶えず係止状態を保持されている第２のロック機構１６は非係止状態に切換わる。
【００３０】
次に、図６に示すように、椅子部８に付設されている図示せぬロックレバーを解除し第１のロック機構１４を非係止状態にして、椅子部８を入浴用受け台１に移動する。椅子部８は、車輪３４が第１のレール１３上および第２のレール３上を回転移動することで、第１のレール１３および第２のレール３の設置方向に移動する。
【００３１】
次に、図３に示すように、椅子部８を入浴用受け台１から台車７に移動する際、上記した場合と同様に、椅子部８を第１のレール１３上および第２のレール３上を移動させる。椅子部８を台車７上の所定の位置に移動させた時点で第１のロック機構１４を係止状態にして、椅子部８と台車７とを固定する。
【００３２】
次に、台車フレーム９の側面に配置されたペダル１７ｂを踏動し、図４に示すように、掛止ロッド１７ａを連結孔５ａの中から引き抜いて入浴用受け台１と台車７との連結状態を解除して、図３における入浴用車椅子６を移動させる。台車７が入浴用受け台１から離れることで、図４に示すように、レバー２４の当接板２４ａを押す力は消滅し、付勢部材２７の弾性力により二次係合板２６は上方に押され、二次係合板２６上に設けられている係止部材２８は鉛直上方向に移動する。この係止部材２８の頭部は第２の被係止板３６より上方に突出し、第２のロック機構１６は係止状態に切換わる。
【００３３】
このような構成により、入浴用車椅子６と入浴用受け台１が所定の位置に配置され、第１のレール１３と第２のレール３が合致して接続することで、第２のロック機構１６は係止状態から非係止状態に切換わる。これによって、第１のロック機構１４が不用意に解除された場合でも椅子部８は台車７上のみを移動し、第２のロック機構１６は椅子部８が台車７の外方に移動するのを規制している。
【００３４】
以上、本発明の実施の形態について説明したが、本発明は上記した実施の形態に限定されるものではなく、その趣旨を逸脱しない範囲内で適宜変更可能である。例えば、本実施の形態では、入浴用車椅子６について説明しているが、本実施の形態で説明した第２のレール３を有する入浴用受け台１に隣接するとともに、本実施の形態で説明したキャスター１１および第１のレール１３を有するストレッチャーと、本実施の形態で説明した車輪３４を有する担架本体とから構成される入浴用担架であって、本実施の形態で説明した第２のロック機構１６を有する入浴用担架でもよい。
【００３５】
また、本実施の形態では、レバー２４がレバー係合部５に当接することで一次係合板２５を軸回転させ、これを係止部材２８の上下運動に換えて、第２のロック機構１６を係止状態から非係止状態に操作しているが、レバー２４がレバー係合部５に当接することで電気的に係合された係止部材２８が係止状態から非係止状態に切換わる構造の第２のロック機構１６でもよい。
【００３６】
【発明の効果】
本発明に係る入浴用車椅子および入浴用担架によれば、入浴用車椅子または入浴用担架を入浴用車椅子または入浴用担架に設けられた第１のレールと入浴用受け台上に設けられた第２のレールとが合致する位置に配置することで解除されるロック機構によって、入浴用車椅子または入浴用担架と入浴用受け台とが所定の位置に配置され、第１のレールと第２のレールとが接続されているときにのみ入浴用車椅子の椅子部または入浴用担架の担架本体が、第１のレール上と第２のレール上との間を移動することができる。
【図面の簡単な説明】
【図１】本発明の実施の形態を説明するための入浴用受け台の斜視図である。
【図２】本発明の実施の形態を説明するための入浴用車椅子の側面図である。
【図３】本発明の実施の形態を説明するための入浴用車椅子と入浴用受け台との斜視図である。
【図４】本発明の実施の形態を説明するためのロック機構の断面詳細図である。
【図５】本発明の実施の形態を説明するためのロック機構の斜視図である。
【図６】本発明の実施の形態を説明するための入浴用車椅子と入浴用受け台との斜視図である。
【符号の説明】
１    入浴用受け台
３    第２のレール
５    レバー係合部
６    入浴用車椅子
７    台車
８    椅子部
１１  キャスター
１３  第１のレール
１６  （第２の）ロック機構
２４  レバー
２７  付勢部材
２８  係止部材
３４  車輪
３６  （第２の）被係止部材
【図１】
2004154241.tif 000003
【図２】
2004154241.tif 000004
【図３】
2004154241.tif 000005
【図４】
2004154241.tif 000006
【図５】
2004154241.tif 000007
【図６】
2004154241.tif 000008